(57)【要約】【課題】本発明は、汎用のストリームビューワで再生可能な符号化データを用いて、符号化量の増加を抑制して記録可能な画像記録装置を提供する。【解決手段】本発明はビデオ信号の圧縮符号化を行う際に、ビデオ信号の１フレームを形成する２フィールドのうち片フィールドの画像を他方のフィールドのデータとしてコピーしてフレーム画像を生成し、前記フレーム画像を圧縮符号化する。【選択図】　図１
2004040516.tif 000002
【特許請求の範囲】
【請求項１】
ビデオ信号の１フレームを形成する２フィールドのうちの一方のフィールドのデータと、前記フィールドデータのライン位置をずらしたデータとによりフレームデータを生成する生成手段と、
前記生成手段により生成されたフレームデータを圧縮符号化し、ビットストリームとして出力する圧縮符号化手段と、
前記圧縮符号化手段から出力されたビットストリームを第１の蓄積メディアに記録する記録手段と、を備えることを特徴とする画像記録装置。
【請求項２】
請求項１に記載の圧縮符号化手段は、ＤＣＴ（Ｄｉｓｃｒｅｔｅ　Ｃｏｓｉｎｅ　Ｔｒａｎｓｆｏｒｍ）を利用した符号化圧縮を行い、ＤＣＴ変換後のＤＣＴ係数の量子化を制御する制御手段を備え、前記制御手段は、垂直方向の高次側に位置するＤＣＴ係数が量子化後に０になるように制御することを特徴とする画像記録装置。
【請求項３】
請求項２に記載の圧縮符号化手段は、ＭＰＥＧ２規格に準拠した画像圧縮規格に基づき符号化圧縮を行うものであり、ＤＣＴ変換後のＤＣＴ係数を量子化する際に、垂直方向の高次側に位置するＤＣＴ係数が量子化後に０になるように量子化マトリックスの値を制御する手段を備えることを特徴とする画像記録装置。
【請求項４】
請求項１に記載の画像記録装置は、さらに第１の蓄積メディアと異なる第２の蓄積メディアに記録するインタフェース回路を備え、上記第１の蓄積メディアに記録されたビットストリームの一部もしくはすべてを該第２の蓄積メディアに記録する手段を備えることを特徴とする画像記録装置。
【請求項５】
請求項１に記載の画像記録装置であって、さらにネットワークに接続するネットワークインタフェースを備え、上記第１の蓄積メディアに記録されたビットストリームの一部もしくはすべてをネットワークを介して他のネットワーク接続された機器に転送する機能を備えることを特徴とする画像記録装置。
【請求項６】
ビデオ信号を蓄積メディアに圧縮符号化して記録する画像記録装置であって、
複数のチャンネルのビデオ信号を入力する入力手段と、
前記入力手段により入力されたビデオ信号を各チャンネルごとに切り換えて、ビデオ信号の１フレームを形成する２フィールドのうちの一方のフィールドのデータによりフレームデータを生成し、圧縮符号化する手段と、を備えていることを特徴とする画像記録装置。
【請求項７】
請求項１ないし５のいずれかに記載の第１の蓄積メディアは、ハードディスクであることを特徴とする画像記録装置。
【請求項８】
ビデオ信号を出力する撮像手段と、
前記撮像手段から出力されたビデオ信号を入力する入力手段と、
前記入力されたビデオ信号の１フレームを形成する２フィールドのうちの一方のフィールドのデータによりフレームデータを生成する生成手段と、
前記生成手段により生成されたフレームデータを圧縮符号化する圧縮符号化手段と、
前記圧縮符号化手段から出力されたデータを記録媒体に記録する記録手段と、
を備えることを特徴とする画像記録装置。
【発明の詳細な説明】
【０００１】
【発明の属する技術分野】
本発明は、ビデオ信号を圧縮符号化して記録する画像記録装置に関する。
【０００２】
【従来の技術】
従来のビデオテープなどに代わり、ハードディスクなどのディジタル蓄積メディアに画像データを記録する画像記録再生装置が普及しつつある。また、大量の画像データを長時間記録するために符号化圧縮技術により画像のデータ量を圧縮し記録する、画像記録再生装置がある。これらの装置は、例えば特開平９−２８４７５１などに開示されている。
【０００３】
【発明が解決しようとする課題】
一般に画像データを符号化圧縮かけるためには、アナログの画像信号を各画素ごとのサンプリング値として表現されたディジタル画像として取り込み、各フレーム単位ごとに符号化してデータ量を圧縮化する。画像の圧縮符号化技術として例えばＩＳＯ／ＩＥＣ１３８１８−２通称ＭＰＥＧ２ビデオ符号化規格などが上げられる。ＭＰＥＧ２などの圧縮符号化技術では、各画像をフレーム単位で符号化することが一般的である。
【０００４】
以下、圧縮符号化かけるために入力画像からフレームデータを生成する画像取込みの例を図１１に示す。図１１において、２０と２１はＮＴＳＣインタレース画像のＴｏｐフィールドとＢｏｔｔｏｍフィールドを示し、２０と２１で１フレームの入力画像を表現している。フィールド２０、２１中の実線は走査線を表し、点線は次の走査線位置に移動するための帰線期間分を表しており、お互いの走査線位置は垂直方向に１／２走査線間隔分ずれている。これに対して、１２０、１２１は上記入力アナログ画像から有効画素期間における各画素位置の輝度、色差といった画素データをサンプリングし、走査方向に順次ならべたデータ列を表しておりこれが圧縮符号化に用いる符号化用画像となる。ＮＴＳＣの場合片フィールド内に水平７０４×垂直２４０の画素が存在する。図１１の例では、各々のフィールドをそれぞれ個別にサンプリングし、１フレーム（水平７０４×垂直４８０）の符号化用画像を形成する。このような方式は、例えば民生用のテレビ放送を受信して記録するハードディスクレコーダなどに見られる。
【０００５】
図１２の例は、図１１とは異なるフレームデータの生成方式を示したものである。図１２では、符号化用画像を生成する際、ＴｏｐフィールドもしくはＢｏｔｔｏｍフィールドの片方だけをサンプリングし、７０４×２４０の画像を１フレーム単位とし、ＮＴＳＣの場合約３０フレーム／秒のフレームレートで符号化する。このような方式は、監視カメラシステムなどで良く用いられている。この方式では、７０４×４８０としてフレームとする場合にくらべ画素数が１／２になるため、符号化した後のデータ量が少なくすむ利点がある。また、再生中に静止して画面を確認する場合に約ＴｏｐフィールドとＢｏｔｔｏｍフィールドが１／６０秒時間差があるために輪郭部などで生じるぎざぎざのノイズ（Ｃｏｍｂノイズ）が発生しないため、監視用途などで犯人など注視している物体の視認性を向上させることができる。
【０００６】
しかし、上記図１２で示したような方式でサンプリングされ、圧縮記録されたデータを、例えばパソコン機器上においてＤＶＤ再生用などのために一般的に市販されている汎用のストリームビューワを用いて見ようとした場合に、画像が垂直方向に縮んだ画像として見えてしまう問題がある。これは、汎用のストリームビューワが、上記図１１の例で示したようにＮＴＳＣの両フィールドからなるフレームを符号化したストリームを入力することを前提にされているためである。汎用のＰＣ上で図１２の例で取り込まれたようなデータを垂直方向への歪みなく見るためには、垂直方向にのみ拡大するなどの専用ビューワを別途開発する必要がある。
【０００７】
一方、図１１の方式で符号化画像としてのフレーム画像を生成すると、最終的な符号化量が増えてしまい、Ｃｏｍｂノイズが問題となる。
【０００８】
上記問題に鑑み、本発明は、符号化量の増加を抑制しつつ、汎用のストリームビューワで再生可能な符号化データを用いて記録する画像記録装置を提供することを目的とする。
【０００９】
【課題を解決するための手段】
上記課題を解決するために、本発明はビデオ信号の圧縮符号化を行う際に、ビデオ信号の１フレームを形成する２フィールドのうち片フィールドの画像を他方のフィールドのデータとしてコピーしてフレーム画像を生成し、前記フレーム画像を圧縮符号化する。
【００１０】
【発明の実施の形態】
以下、本発明による実施の形態について記載する。まず本発明における第１の実施形態について述べる。本発明における第１の実施形態は、１チャネルのＮＴＳＣ画像信号を入力とし、蓄積メディアに記録する画像記録再生装置であり、図１はそのブロック構成を示したものである。
【００１１】
図１において、１はインタレースビデオ入力端子、２は画像記録再生装置、３はビデオ出力端子、２０２は画像取込み部、２０３は画像圧縮部、２０４はメディア制御部、２０５は蓄積メディア、２０６は画像伸長部、２０７は画像出力部、２０８はコントローラ部である。画像記録再生装置２は、ユーザからの指示をコントローラ部２０８により受け取り、各ブロックを制御して画像記録、再生を行うものである。以下順を追って説明する。
【００１２】
画像を記録する際には、コントローラ部２０８が２０２〜２０７に指示を出し、以下のデータフローにより記録を制御する。入力端子１からＮＴＳＣ画像が入力されると、画像取込み部２０２においてディジタルデータとしてサンプリングし、画像取込み部２０２内に設けられたフレームバッファメモリに一時格納する。そして、フレームメモリに格納されたデータを、例えばＣＣＩＲ（国際通信諮問委員会）のＲＥＣ６０１フォーマットなどのディジタル信号の規格に則って画像圧縮部２０３に送り、ＭＰＥＧ２画像圧縮規格に準拠したビットストリームに符号化する。このとき、符号化されたビットストリームをＭＰＥＧ２ＳｙｓｔｅｍｓのＰＳ（Ｐｒｏｇｒａｍ　Ｓｔｒｅａｍ）に準拠した形でパケット化し、記録時の時刻情報など後の再生時に必要な管理情報を付加した後、メディア制御部２０４に送信する。
【００１３】
メディア制御部２０４は、ハードディスクなどの蓄積メディア２０５を制御し、画像圧縮部２０３より送られてきた符号化ビットストリームと管理情報を蓄積メディア２０５に記録する。蓄積メディア２０５とメディア制御部は、例えばＡＴＡ（ＡＴ　ａｔｔａｃｈｍｅｎｔ）やＳＣＳＩ（Ｓｍａｌｌ　Ｃｏｍｐｕｔｅｒ　Ｓｙｓｔｅｍ　Ｉｎｔｅｒｆａｃｅ）等のインタフェースで接続されており、またＩＳＯ１３３４６のサブセットとして規定されているＵｎｉｖｅｒｓａｌ　Ｄｉｓｋ　Ｆｏｒｍａｔ（ＵＤＦ）など他の汎用パーソナルコンピュータ（ＰＣ）において認識可能な所定のフォーマットで記録することにより、他の装置でも再生可能な互換性のある蓄積メディアとして記録を残すことが可能となる。
【００１４】
ユーザによって再生が指示された場合には、コントローラ部２０８によって２０４、２０６、２０７に再生処理の命令が送られる。蓄積メディア２０５に記録した画像データは、ユーザによって指定された時刻位置のデータから、順次メディア制御部２０４により呼び出される。メディア制御部２０４によって呼び出された符号化ビットストリームは、画像伸長部２０６においてパケット化が解かれ、さらに圧縮符号化された画像データは復号されディジタル画像信号として画像出力部２０７に送信される。伸長後のディジタル画像信号は、画像出力部２０７からＮＴＳＣ信号にエンコードされ、出力端子３から外部モニタに出力される。
【００１５】
次に、記録時に画像取込み部２０２において画像データをサンプリングする過程を図２を用いて説明する。図中３０〜３３で表されるような入力信号は、有効画素期間中の各画素位置において輝度（Ｙ成分）、色差成分（Ｃｂ，Ｃｒ）の色値を２５６階調の４：２：２フォーマットデータとしてサンプリングする。このとき、Ｂｏｔｔｏｍフィールド側の符号化用画像データ１３１は、入力のＢｏｔｔｏｍフィールド３１のデータは用いずに、Ｔｏｐフィールドでサンプリングされたデータ１３０をコピーして用い、ライン位置のみをずらして利用する。従って、１フレーム画像を構成するＴＯＰフィールド画像１３０とＢｏｔｔｏｍフィールド画像１３１は総計７０４×４８０画素分のデータがあるが、水平走査線２本ずつは上下で同一のデータとなるため垂直解像度は２４０ライン／フレームになる。
【００１６】
本実施形態では、符号化時に７０４×４８０画素分のデータを１フレームとしているため、通常ＤＶＤ等で記録されているフレーム画素数と同等であり、水平垂直サイズの補正なしにそのまま記録内容を確認することができる。このため、特別なシステムを用いずに本実施形態の記録再生装置で記録した記録画像を外部のＰＣ上で確認することができる。また、ユーザは自分の好みの汎用ビューワソフトウェアを用いることができる。例えば、ハードディスクドライブ等の蓄積メディア２０５を取り外し、他の汎用ＰＣに接続すると、ＭＰＥＧ２のストリームをブラウズするような汎用のビューワソフトウェアによって記録内容を復号し、ＰＣ上で再生することができる。
【００１７】
また、本発明を監視用途に用いると、再生中に画像を静止させて被写体を確認する場合が多くなるが、このとき、７０４×２４０画素分の片フィールドのデータを両フィールドで出力するため、フレーム画として静止画出力してもＴｏｐフィールドとＢｏｔｔｏｍフィールドの時間差によるＣｏｍｂノイズが発生せず、良好な静止画を得ることができる。同様に、ＰＣ上の汎用ビューワで画像を復号する場合もＣｏｍｂノイズは生じず、良好な画像を得ることができる。
【００１８】
次に、本実施形態における符号化手順について説明する。図３は、画像圧縮部２０３におけるＭＰＥＧ２画像符号化規格のフレーム内符号化（Ｉピクチャ）の手順を示した図である。画像圧縮部２０３に入力された各フレーム画像は４：２：２フォーマットから４：２：０フォーマットに画像圧縮部２０３において色差成分が間引かれて入力され、入力端子３００より入力される。各フレーム画像は、マクロブロック（ＭＢ）と呼ばれる画素ブロック毎にＤＣＴ（Ｄｉｓｃｒｅｔｅ　Ｃｏｓｉｎｅ　Ｔｒａｎｓｆｏｒｍ）処理がＤＣＴ処理部３０１で行われる。
【００１９】
図４はＭＢの構成を示しており、１ＭＢは、Ｙ成分は水平８×垂直８画素のブロック（Ｂ０〜Ｂ３）が４つ集まった１６×１６画素のブロック（３０５）、Ｃｂ，Ｃｒはそれぞれ８×８画素のブロック（３０６、３０７）からなる。ＤＣＴ処理によって、ＭＢ内の各８×８画素ブロック毎（Ｂ０〜Ｂ５）に、２次元の画素値配列から空間周波数領域の配列に直交変換される。この変換により、水平方向の空間周波数は左側が低次、右側が高次、垂直方向の空間周波数は上側が低次、下側が高次というように水平、垂直の空間周波数の分布に応じたＤＣＴ係数が生成される。ＤＣＴ変換器３０１によって生成されたＤＣＴ係数は、次の量子化部３０２において各画素ごとに量子化される。このとき、量子化時の最小単位である量子化ステップをＤＣＴ係数位置ごとに重み付けすることで低次周波数側をより細かく量子化し、高次の周波数成分を粗く量子化するよう設定する。
【００２０】
図５は、ＭＰＥＧ２規格におけるＩピクチャのデフォルト量子化マトリックスであり、この値が大きい位置ほど量子化ステップが大きくなり、量子化が粗くなることを意味する。この量子化マトリックスは、人間が低い周波数成分が高い周波数成分に比べてより感度が高いという視覚特性を持つため、低周波数成分に割り当てる符号化量を増やすために一般的に用いられるものである。一般に、自然画像をＤＣＴ変換すると水平垂直ともに低次側の空間周波数成分にエネルギーが集中しやすいため、上記量子化時の重み付けをすると高次側の係数は０値になる傾向がある。
【００２１】
この傾向を利用して、量子化器３０２において量子化された各ＤＣＴ係数は、図６に示すようにジグザクにスキャンされ、ランレングス処理しハフマン符号化を行う可変長符号化器（ＶＬＣ）３０３で符号化される。ここで、ランレングス処理とは、量子化後のデータ値とそれに続く０値の数に対して一つの符号を対応させて符号化するものである。例えば、ある位置のＤＣＴ係数が２でスキャン順に後続が３つの０値の場合、００１００１０００（２進数）を割り当てる。この構成によりスキャン順に０値が長く続くようなＤＣＴ係数分布になっているほど複数のＤＣＴ係数値を１符号値に割り当てることができるため、符号化効率が上がるようになる。
【００２２】
次に本実施形態によるフレーム画像の生成を用いたときの画像符号化効率について記述する。図７は、符号化用画像の画素値からＤＣＴ変換後のデータを生成する様子を表したものである。図７（ａ）は各走査線毎のデータ値が異なるときに符号化用画像３０８からＤＣＴ係数３０９を生成する場合、図７（ｂ）は本実施形態のようにＴｏｐフィールドとＢｏｔｔｏｍフィールドが同一の画素値を持つ符号化用画像３１０からＤＣＴ係数３１１を生成する場合を示している。ここでは、便宜上水平方向には画素値一定で、垂直方向にのみ画素の差分があるとする。また、すべての図においてハッチングの濃さがその成分の値が大きいことを示している。
【００２３】
符号化用画像データ３０８が毎走査線ごとに画素データが異なるの対し、本実施形態の符号化用画像データ３１０では、２走査線ごとにしか画素データが変化しない。このため、ＤＣＴ変換した場合、図に示すように、３０９の方がより垂直方向の高次にまで値が残る可能性が高くなるのに対し、３１０の方は垂直方向の画素変化が小さく、ＤＣＴ係数の高次周波数成分も小さくなる傾向になる。したがって、量子化したときに垂直方向に高次周波数部分のＤＣＴ係数が０になる確率が高くなり、上記符号化手順で述べたように、ランレングス符号化時に０係数が続く確率も高くなる。以上の点から本実施形態における７０４×４８０画素の符号化用画像は、７０４×２４０画素のフレーム画像を符号化する場合に対して２倍のデータ量を持つことになるが、符号化効率が上がるため、符号化量の増加は元々のデータ量の増加に比して小さくすることができる。
【００２４】
さらに符号化効率を上げるために、量子化ステップを定義する量子化マトリックスの垂直方向高次側の箇所について図５に示す値よりも大きくすることにより、垂直方向高次のＤＣＴ係数の量子化結果を０係数にすることが可能である。元々、高次の垂直方向の周波数成分が小さくなっているため、量子化結果を０にしても画質への影響がないため、本手法によりさらに符号化効率を上げることができる。
【００２５】
以上の実施形態では、画像取込み部２０２が入力画像のＴｏｐフィールドを両フィールドとして用いているが、Ｂｏｔｔｏｍフィールドを用いても同様の効果を得ることができる。また、片フィールドのコピー処理を本実施形態では画像取込み部２０２で行っているが、画像圧縮部内で画像符号化に用いる作業用メモリ内において処理を行っても同様の効果を得ることができる。また、本実施形態では画像符号化圧縮技術としてＭＰＥＧ２ビデオ符号化規格を前提にしているが、例えばＪＰＥＧなどＤＣＴ変換後の係数を量子化し符号化を行う他の画像符号化規格であっても、本実施形態で説明するものと同等の効果を持つことは言うまでもない。
【００２６】
次に、本発明における第２の実施形態について説明する。図８は本発明における第２の実施形態のブロック構成を示した図である。図８において、図１で示したブロックについては同じ番号を付記し、説明を省略する。本実施形態では、図１で示した画像の記録再生装置に加えて、さらにバックアップメディアＩ／Ｆ２０９を備える。バックアップメディアＩ／Ｆ２０９は、コントローラ部２０８より指定された箇所の符号化画像データを蓄積メディア２０５からメディア制御部２０４経由で抽出し、外部に接続されたバックアップメディア４に記録するものである。バックアップメディア４は、例えばＤＶＤ−ＲＡＭなどのリムーバブルメディアであって、汎用ＰＣでファイルリード可能なものである。上記バックアップメディアに記録された符号化画像メディアは、第１の実施形態と同様に汎用ＰＣにおける汎用のＭＰＥＧストリームビューワを用いて、確認することが可能である。
【００２７】
本実施形態では、蓄積メディア２０５が大容量で着脱困難な場合でも所望のデータのみを離れた場所におかれた汎用ＰＣにおいて確認することができる。更に本実施形態では、ネットワークＩ／Ｆ２１０によって外部ネットワーク５を介して他のＰＣ６および７にデータを供給することができる。例えばネットワークはＥｔｈｅｒｎｅｔ（Ｒ）などのネットワーク網であり、ＴＣＰ／ＩＰプロトコルでデータの送受信をするものとする。このような構成によって蓄積メディア２０５に格納されたデータをダウンロードすることにより、遠隔地のＰＣより記録されたデータをブラウズすることが可能である。この場合にも本実施形態では汎用のビューワソフトウェアにおいて再生可能な画像フレーム構成を取っているため、専用のビューワソフトウェアを用いる必要はなく、安価に全体システムを組むことが可能である。また、画像記録装置２を汎用ＰＣ上に構築し、メディア制御部２０４内で蓄積メディア２０５から所望の符号化ストリームを読み出す機能をソフトウェアで構築し、画像伸長部を汎用ビューワソフトを用いて実現することもできる。また、本実施形態では蓄積メディア２０５はハードディスクを用いているが、例えばＤＶＤ−ＲＡＭなど他の蓄積メディアを用いても同様の効果をもたらす。
【００２８】
次に、本発明よる第３の実施形態について述べる。図９は第３の実施形態のブロック構成を示したものである。図９において、図１と同一ブロックについては同じ番号を付記し、説明を省略する。
【００２９】
本実施形態では、画像取込み部２０２がインタレース画像入力端子を複数チャネル（端子１０〜１２）持っており、フレーム単位で入力先をスイッチングするものである。スイッチングしながらサンプリングされたデータは、第１の実施形態同様、各チャネル内においてＴｏｐフィールドでサンプリングしたデータをＢｏｔｔｏｍフィールド画像のデータとして用いる。例えば、端子１０、１１、１２から各々、チャネル０、１，２（ｃｈ０、ｃｈ１、ｃｈ２）のビデオ信号が入力されたとすると、画像取込み部２０２は入力画像４０〜６１のように各チャネルをフレーム毎にスイッチしながらサンプリングする。このとき、ｃｈ０用の符号化画像は入力画像４０のデータを両フィールドに用いて１４０、１４１として生成される。同様にｃｈ１については、入力画像５０から１５０、１５１が、ｃｈ２については、入力画像６０から１６０，１６１が生成される。
【００３０】
以上の構成を用いることで、本実施形態では、第１の実施形態と同様の特徴を持つフレーム構成を持つ符号化ストリームを生成することができ、蓄積メディア２０５に記録することができる。上記符号化ストリームを他のＰＣ機器上の汎用ビューワで見た場合には第１および第２の実施形態同様垂直方向の画像の縮みなく通常画像サイズで表示することが可能であり、しかも符号化量も画像圧縮時ＤＣＴの量子化ステップを垂直方向高次周波数成分に対して大きくすることで符号化効率を上げることが可能である。また、各入力チャネル毎にフレーム構造を生成しているため、画像伸長器２０６、画像出力部２０７である特定チャネルを表示し、一時停止などを行っても画面にＣｏｍｂノイズが生じることがない。上記システムは、特に各ビデオ端子１０〜１２に外部監視カメラが接続されそれを記録監視するような監視システムにおいて有効である。
【００３１】
本発明の実施形態にかかる画像記録再生装置は、記録した画像を特殊な変換処理なしで外部ＰＣなどで市販されている画像ビューワを用いて再生することが可能である。また従来用いられている片フィールドのみを用いたフレーム画像に比べて符号化するための画像データ量は２倍に増加するが、符号化量をＤＣＴ係数の垂直高次成分をカットすることで、画質への影響を小さくした状態で符号化量増加を低減できる。
【００３２】
【発明の効果】
以上説明したように、本発明によれば、符号化量の増加を抑制しつつ、汎用のストリームビューワで再生可能な符号化データを用いて記録する画像記録装置を供することができる。
【図面の簡単な説明】
【図１】本発明における第１の実施形態のブロック構成を示す図である。
【図２】本発明における第１の実施形態における符号化用画像の生成方式を示す図である。
【図３】本発明における第１の実施形態における画像符号化手順を説明する図である。
【図４】ＭＰＥＧ２におけるＭＢ構成を示す図である。
【図５】ＭＰＥＧ２における量子化マトリクスを示す図である。
【図６】ＭＰＥＧ２における符号化時のスキャン順序を示す図である。
【図７】本発明における第１の実施形態におけるＤＣＴ変換効率を説明する図である。
【図８】本発明における第２の実施形態のブロック構成を示す図である。
【図９】本発明における第３の実施形態のブロック構成を示す図である。
【図１０】本発明における第３の実施形態における符号化用画像の生成方式を示す図である。
【図１１】符号化用画像の生成方式を示す図である。
【図１２】図１１に示した符号化用画像の生成方式とは異なる方式を示す図である。
【符号の説明】
１…インタレースビデオ入力端子、２…画像記録再生装置、３…ビデオ出力端子、４…バックアップメディア、５…ネットワーク、６、７…外部汎用ＰＣ、２０２…画像取込み部、２０３…画像圧縮部、２０４…メディア制御部、２０５…蓄積メディア、２０６…画像伸長部、２０７…画像出力部、２０８…コントローラ部、２０９…バックアップメディアＩ／Ｆ、２１０…ネットワークＩ／Ｆ
【図１】
2004040516.tif 000003
【図２】
2004040516.tif 000004
【図３】
2004040516.tif 000005
【図４】
2004040516.tif 000006
【図５】
2004040516.tif 000007
【図６】
2004040516.tif 000008
【図７】
2004040516.tif 000009
【図８】
2004040516.tif 000010
【図９】
2004040516.tif 000011
【図１０】
2004040516.tif 000012
【図１１】
2004040516.tif 000013
【図１２】
2004040516.tif 000014